(57)【特許請求の範囲】
【請求項１】
合成樹脂フィルムを用いて作られて内部に食品あるいは食用液状体を密封状態で収納するための包装用袋であって、内面を構成する層がこの内面を構成する層の外側に位置する層よりも低融点の樹脂からなる材料により作られ、袋の一部にガス抜き部を形成し、このガス抜き部は包装用袋の材料に切り込み部を形成するとともに、この切り込み部を含む範囲で包装用袋の材料を少なくとも内面側から内面を構成する層は溶融するがこの内面を構成する層の外側に位置する層が溶融しない程度の温度で加熱し、前記内面を構成する層の切り込み部のみを電子レンジでの調理の際の包装用袋の内圧の上昇により開口する程度に溶融により閉じて形成されてなり、前記ガス抜き部を複数個設けてなることを特徴とする包装用袋。
【請求項２】
包装用袋の一方の側を構成するフィルムと他方の側を構成するフィルムの両方にそれぞれ複数個のガス抜き部が形成されていることを特徴とする請求項１記載の包装用袋。
【請求項３】
包装用袋の材料の内面を構成する層の外側に位置する層として二軸延伸フィルムあるいは一軸延伸フィルムを用い、包装用袋の内圧の上昇により押し開かれた切り込み部近傍をつまんで包装用袋の材料の一部を引き裂くように構成したことを特徴とする請求項１または２記載の包装用袋。
【発明の詳細な説明】
【０００１】
【発明の属する技術分野】
本発明は、電子レンジで調理される食品あるいは食用液状体を収納するための包装用袋に関するものである。
【０００２】
【従来の技術】
従来から密封状態の包装用袋に収納される食品を電子レンジで調理する際、調理により内圧が高くなって包装用袋が破裂するのを防止するために、袋の一部を鋏などでカットして開口させておく必要がある。
【０００３】
【発明が解決しようとする課題】
しかしながら、従来では袋の一部を開口させるのに鋏などの道具を用意する必要があり、面倒であるという問題があった。
本発明はこのような課題を解決するもので、袋の一部を開口させるのに鋏などの道具を用意する必要がなく、電子レンジでの調理の際、調理により内圧が高くなって包装用袋の一部が簡単に開口できるようにすることを目的とするものである。
【０００４】
【課題を解決するための手段】
この課題を解決するために本発明は、合成樹脂フィルムを用いて作られて内部に食品あるいは食用液状体を密封状態で収納するための包装用袋であって、内面を構成する層がこの内面を構成する層の外側に位置する層よりも低融点の樹脂からなる材料により作られ、袋の一部にガス抜き部を形成し、このガス抜き部は包装用袋の材料に切り込み部を形成するとともに、この切り込み部を含む範囲で包装用袋の材料を少なくとも内面側から内面を構成する層は溶融するがこの内面を構成する層の外側に位置する層が溶融しない程度の温度で加熱し、前記内面を構成する層の切り込み部のみを電子レンジでの調理の際の包装用袋の内圧の上昇により開口する程度に溶融により閉じて形成されてなり、前記ガス抜き部を複数個設けてなることを要旨とするものである。また本発明は、包装用袋の一方の側を構成するフィルムと他方の側を構成するフィルムの両方にそれぞれ複数個のガス抜き部が形成されていることを要旨とするものである。さらに本発明は、包装用袋の材料の内面を構成する層の外側に位置する層として二軸延伸フィルムあるいは一軸延伸フィルムを用い、包装用袋の内圧の上昇により押し開かれた切り込み部近傍をつまんで包装用袋の材料の一部を引き裂くように構成したことを要旨とするものである。
【０００５】
この構成により、密封状態の包装用袋に収納される食品や食用液状体を電子レンジで調理する際、包装用袋の内圧の上昇によりガス抜き部の内面側を構成する層の切り込み部は内部から押し開かれ、ガス抜き部を簡単に開口させることができ、従来のように鋏などの道具を用いて袋の一部をカットして開口させておく必要がない。特に、ガス抜き部を複数設けてあることにより、全てのガス抜き部が同時に開口しなくても少なくとも１つのガス抜き部が開口することにより包装用袋内のガス抜きを行なうことができるので、ガス抜きの確実性を高めることができる。また、一方の側を構成するフィルムと他方の側を構成するフィルムの両方にそれぞれガス抜き部を形成することにより、一方の側を構成するフィルムと他方の側を構成するフィルムの何れを上に向けて電子レンジ内にセットしても良く、包装用袋を電子レンジ内にセットする際の方向性がなく、取り扱いが便利になる。さらに、包装用袋の材料として二軸延伸フィルムや一軸延伸フィルムを用いると、前記包装用袋の内圧の上昇により押し開かれた切り込み部近傍をつまんで包装用袋の材料の一部を引き裂く方向に力を与えることにより、包装用袋が大きく開口し、食品などの取り出し口を形成することができる。
【０００６】
【発明の実施の形態】
以下、本発明の実施の形態について、図面に基づいて説明する。
先ず、図１〜図６に示す第１の実施の形態について説明すると、１は内面側を構成する層２が外面側を構成する層３よりも低融点の樹脂からなり、２つの層２，３が積層された２層構造のフィルム材料により作られ、内部に食品あるいは食用液状体を密封状態で収納するための４方シールの包装用袋であり、この包装用袋１の一方の側を構成するフィルム４と他方の側を構成するフィルム５を備え、前記一方の側を構成するフィルム４の一部に電子レンジでの調理の際の包装用袋１の内圧の上昇により開口するガス抜き部６が形成されている。図面に示す実施の形態では、前記ガス抜き部６は包装用袋１の一方の側を構成するフィルム４の１つの側辺近傍に３つ並べて形成され、具体的には包装用袋１の１つの側辺７近傍で前記内面側を構成する層２と外面側を構成する層３の２層構造のフィルム材料に円弧状でこの円弧の非繋がり部が前記１つの側辺に対向する側辺８側に向いて位置するように３つの各切り込み部９を形成し、この各切り込み部９を含む範囲で前記内面側を構成する層２と外面側を構成する層３の２層構造のフィルム材料を表裏両面から熱盤１０ａ，１０ｂで挟み、前記内面側を構成する層２は溶融するが外面側を構成する層３が溶融しない程度の温度で２層構造のフィルム材料を加熱し、前記内面側を構成する層２の各切り込み部９のみを溶融により閉じ、ガス抜き部６が形成されている。このように内面側を構成する層２の切り込み部９は溶融により閉じられるのであるが、その部分の強度は電子レンジでの調理の際の包装用袋１の内圧の上昇により開口する程度である。
【０００７】
さらに詳しくは、前記包装用袋１は、内面側を構成する層２がポリオレフィンからなり、外面側を構成する層３がナイロン（ＮＹ−６）と変性ナイロン（ＭＸＤ−６）をブレンドして横軸に対し縦軸を強く延伸することにより、縦方向に引き裂く方向に力を与えることにより直線的にカットできる二軸延伸フィルム（ユニアスロン、登録商標、出光石油化学（株）製）で作られている。このように二軸延伸フィルムからなる外面側を構成する層３とポリオレフィンからなる内面側を構成する層２を積層した構成の合成樹脂フィルム材料は外面側を構成する層３の引き裂き力により内面側を構成する層２も追随して引き裂かれる。なお、前記二軸延伸フィルムの縦軸を包装用袋１の前記側辺７，８に対して直角に向けて包装用袋１を作成した。
【０００８】
従って、このような構成の包装用袋１の中に収納された状態で食品を電子レンジで調理する際、包装用袋１の一方の側を構成するフィルム４を上に向けて包装用袋１を電子レンジ内にセットして調理することにより、包装用袋１の内圧の上昇によりガス抜き部６の内面側を構成する層２の切り込み部９で囲まれた小片１１は内部から押し開かれ、ガス抜き部６を簡単に開口させることができる。なお、ガス抜き部６を複数設けてあることにより、全てのガス抜き部６が同時に開口しなくても少なくとも１つのガス抜き部６が開口することにより包装用袋１内のガス抜きを行なうことができるので、ガス抜きの確実性を高めることができる。図５および図６に示す実施の形態では全てのガス抜き部６が開口した状態を示している。
【０００９】
また、本実施の形態では前述のように、二軸延伸フィルムからなる外面側を構成する層３とポリオレフィンからなる内面側を構成する層２を積層した構成の合成樹脂フィルム材料を二軸延伸フィルムの縦軸を包装用袋１の前記側辺７，８に対して直角に向けて包装用袋１を作成したことにより、包装用袋１の内圧の上昇により押し開かれた１つの小片１１をつまんで前記側辺８側に向かって引き裂く方向に力を与えることにより、包装用袋１が前記側辺７，８間で大きく開口し、食品の取り出し口１２が形成される（図６参照）。
【００１０】
ところで、本実施の形態では包装用袋１を引き裂くために二軸延伸フィルムを用いたが、一軸延伸フィルム（高密度ポリエチレン）を用いても同様の効果が得られる。また、包装用袋１を構成する材料として、前記外面側を構成する層３の外側に内面側を構成する層２よりも高融点の樹脂からなる別の層を設け、あるいは外面側を構成する層３と内面側を構成する層２との間に内面側を構成する層２よりも高融点の樹脂からなる別の層を設けたものを用いることもできる。勿論、この別の層にもガス抜き部としての切り込み部が形成される。
【００１１】
次に、図７に示す第２の実施の形態について説明すると、前記第１の実施の形態では前記各ガス抜き部６の切り込み部９の形状は円弧状であるが、図７に示すように切り込み部９はＩ形であっても良い。他の構成は第１の実施の形態と同様である。切り込み部９をＩ形とすることにより、包装用袋１の中に収納された状態で食品を電子レンジで調理する際、包装用袋１の内圧の上昇によりガス抜き部６の内面側を構成する層２の切り込み部９で囲まれた小片１１は前記第１の実施の形態と同様に内部から押し開かれ、ガス抜き部６を簡単に開口させることができる。なお、切り込み部９の形状は前記第１および第２の実施の形態以外に、図８に示す第３の実施の形態のように／形であっても良く、また図９に示す第４の実施の形態のように形であっても良く、さらに図１０に示す第５の実施の形態のように＋形であっても良く、その他図面に示されていない三角形、四角形などであっても良い。
【００１２】
さらに、前記第１および第２の実施ではガス抜き部６は一方の側を構成するフィルム４に形成されているが、一方の側を構成するフィルム４と他方の側を構成するフィルム５の両方にガス抜き部６を形成するように良い。他の構成は第１〜第５の実施の形態の何れかと同様とする。このようにすることにより、一方の側を構成するフィルム４と他方の側を構成するフィルム５の何れを上に向けて電子レンジ内にセットしても良く、その場合上側に向く何れかのフィルムのみが調理により上昇する内圧により大きく膨らんでそのフィルムに形成された切り込み部が開口してガス抜きが行なわれ、下側に向く何れかのフィルムに形成された切り込み部は下側に向くフィルムが調理により上昇する内圧により大きく膨らむことがないので開口することがない。従って、包装用袋１を電子レンジ内にセットする際の方向性がなく、取り扱いが便利になる。
【００１３】
なお、包装用袋１の形状は図面で示す実施の形態に限定されるものではなく、食品あるいは食用液状体などの内容物の種類に応じて適宜決定すれば良い。
【００１４】
【発明の効果】
以上のように本発明によれば、密封状態の包装用袋に収納される食品や食用液状体を電子レンジで調理する際、包装用袋の内圧の上昇によりガス抜き部の内面側を構成する層の切り込み部は内部から押し開かれ、ガス抜き部を簡単に開口させることができ、従来のように鋏などの道具を用いて袋の一部をカットして開口させておく必要がない。特に、ガス抜き部を複数設けてあることにより、全てのガス抜き部が同時に開口しなくても少なくとも１つのガス抜き部が開口することにより包装用袋内のガス抜きを行なうことができるので、ガス抜きの確実性を高めることができる。また、一方の側を構成するフィルムと他方の側を構成するフィルムの両方にそれぞれガス抜き部を形成することにより、一方の側を構成するフィルムと他方の側を構成するフィルムの何れを上に向けて電子レンジ内にセットしても良く、包装用袋を電子レンジ内にセットする際の方向性がなく、取り扱いが便利になる。さらに、包装用袋の材料として二軸延伸フィルムや一軸延伸フィルムを用いると、前記包装用袋の内圧の上昇により押し開かれた切り込み部近傍をつまんで包装用袋の材料の一部を引き裂く方向に力を与えることにより、包装用袋が大きく開口し、食品などの取り出し口を形成することができる。
【図面の簡単な説明】
【図１】本発明の第１の実施の形態における包装用袋の斜視図である。
【図２】同包装用袋の材料に切り込み部を形成した状態を示す要部拡大断面図である。
【図３】同包装用袋の切り込み部を熱盤で挟んで加熱する状態を示す要部拡大断面図である。
【図４】同包装用袋のガス抜き部の要部拡大断面図である。
【図５】同包装用袋の内圧の上昇により全てのガス抜き部が開かれた状態を示す包装用袋の要部拡大斜視図である。
【図６】同開かれたガス抜き部から包装用袋を引き裂いた状態を示す包装用袋の斜視図である。
【図７】本発明の第２の実施の形態における包装用袋の斜視図である。
【図８】本発明の第３の実施の形態における包装用袋の平面図である。
【図９】本発明の第４の実施の形態における包装用袋の平面図である。
【図１０】本発明の第５の実施の形態における包装用袋の平面図である。
【符号の説明】
１    包装用袋
２    内面側を構成する層
３    外面側を構成する層
４    一方の側を構成するフィルム
５    他方の側を構成するフィルム
６    ガス抜き部
７    側辺
８    側辺
９    切り込み部
１１    小片
【図１】
0004215332.tif 000002
【図２】
0004215332.tif 000003
【図３】
0004215332.tif 000004
【図４】
0004215332.tif 000005
【図５】
0004215332.tif 000006
【図６】
0004215332.tif 000007
【図７】
0004215332.tif 000008
【図８】
0004215332.tif 000009
【図９】
0004215332.tif 000010
【図１０】
0004215332.tif 000011